(57)【要約】      （修正有）【課題】ロックに便利な横梁構造を提供する。【解決手段】ソーラーパネルを取り付けることに用い、横梁本体１０と、滑動部材２０と、ロック部材３０と、を含む。該横梁本体は、ストリップ体を呈し、側面に軸方向に沿って少なくとも１つの溝１１を設け、ストッパ部及びギャップを設け、該滑動部材は、凸リブ２１及びロック孔２２を設け、該溝中に設置され、該溝方向に沿って滑動することができ、且つ該ストッパ部を受けて該溝中に係止される。該ロック部材は、片状体及び該ロック孔を貫通設置することに用い、該片状体を該横梁本体にロックさせる。該凸リブの厚さは、ストッパ部の厚さより小さく、該片状体及び該溝の間に隙間を形成させる。これにより、滑動部材を利用し、ロック時に更に簡便にし、且つ形成した隙間を利用し、ロック時片状体を更に該隙間に圧入させ、更なる固定の効果を達成する。【選択図】図２
0003182942.tif 000002
【実用新案登録請求の範囲】
【請求項１】
ソーラーパネルを取り付けることに用い、
多辺形のストリップ体を呈し、少なくとも１つの側面は、軸方向に沿って少なくとも１つの溝を凹設し、該溝の両側の上端にそれぞれストッパ部を凸設し、各ストッパ部の上端に該溝の開口位置付近にギャップを設ける横梁本体と、
ブロック状体であり、該溝中に設置され、それを該溝方向に沿って滑動させることができ、該ストッパ部を該溝中に係止し、該滑動部材表面に凸リブを凸設し、該２つのストッパ部の間に位置し、該凸リブ表面及び該滑動部材底面にロック孔を貫通設置する滑動部材と、
片状体を該ロック孔に貫通設置し、該片状体を該横梁本体にロックさせることに用い、そのうち、該凸リブの厚さは、ストッパ部の厚さより小さく、該片状体及び該溝の間に隙間を形成するロック部材と、
を含む本考案のロックに便利な横梁構造。
【請求項２】
前記凸リブの厚さは、該ストッパ部から該ギャップを差し引いた厚さに等しい請求項１に記載のロックに便利な横梁構造。
【請求項３】
前記滑動部材の該凸リブの両側の表面に、更に滑り止め部を設ける請求項２に記載のロックに便利な横梁構造。
【考案の詳細な説明】
【技術分野】
【０００１】
本考案は、横梁構造に関し、特に、溝を開設し、滑動部材を利用し、ロックに便利な横梁構造に関する。
【背景技術】
【０００２】
ここ十年において、地球環境が日増しに悪化することを回避する為、省エネ及び環境保護が徐々に世界が注目する焦点となっているので、ソーラーエネルギーの発展及び応用は、その主要な課題の１つとなっている。早期においては、ソーラーエネルギー設備の製造コストは、崇高であり、多くの使用者が負担できず、材料の開発及び技術の進歩に伴って、ソーラーエネルギー設備は、徐々に社会大衆に使用されるようになっており、グリーンエネルギー、グリーン建築は、徐々に日常生活中に溶け込んでいる。
【０００３】
しかしながら、ソーラーパネルは、取り付け時、例えば、中華民国実用新案第Ｍ４１１４５０号の専利「ソーラーパネル固定装置改良構造」のように、支持構造を利用して組み付け横梁を組み立て、ソーラーパネルに固定挟持ブロックを介して組み付け横梁上に固定させることができる。該案において、組み付け横梁上に溝を開設し、これによりソーラーパネル取り付けの効率を向上させているが、該案の第１又は第２螺合部材がロックされる時、ただ単一辺で固定されるので、螺子栓（第１螺子栓又は第２螺子栓）を螺合物体及びナット（第１ナット又は第２ナット）に貫通設置し、併せて溝中に滑り込ませ、滑り込ませる過程において、往々にしてナットが溝中から脱落する問題を生じ、工程の進行を遅延させる。
【０００４】
上記の問題に鑑み、本考案者は、ソーラーパネルの取り付けにおいて、長年の実務経験を累積し、特に、ソーラーパネル固定装置の横梁に対し、改良を行い、ようやく本考案を完成させている。
【先行技術文献】
【特許文献】
【０００５】
【特許文献１】特開２００６−６３７７９号公報
【考案の概要】
【考案が解決しようとする課題】
【０００６】
本考案の目的は、溝及び滑動部材の組み合わせにより、該滑動部材を溝中でより円滑に滑動可能にし、且つロック時により簡便となるようにしたロックに便利な横梁構造を提供することにある。
【０００７】
本考案のもう１つの目的は、開設したギャップを利用し、ロック時に隙間を形成させ、ロック待ちの物体が押圧を受けて該隙間に圧入できるようにし、固定の効果を達成するロックに便利な横梁構造を提供することにある。
【課題を解決するための手段】
【０００８】
上記目的を達成する為、本考案のロックに便利な横梁構造は、ソーラーパネルを取り付けることに用い、横梁本体と、滑動部材と、ロック部材と、を含む。該横梁本体は、ストリップ体を呈し、その側面は、軸方向に沿って少なくとも１つの溝を凹設し、該溝の両側の上端にそれぞれストッパ部を凸設し、各ストッパ部の上端に該溝の開口位置付近にギャップを設け、該滑動部材は、ブロック状体であり、該溝中に設置され、それを該溝方向に沿って滑動させることができ、該ストッパ部を該溝中に係止し、該滑動部材表面に凸リブを凸設し、該２つのストッパ部の間に位置し、該凸リブ表面及び該滑動部材底面にロック孔を貫通設置し、該ロック部材は、片状体を該ロック孔に貫通設置し、該片状体を該横梁本体にロックさせることに用い、そのうち、該凸リブの厚さは、ストッパ部の厚さより小さく、該片状体及び該溝の間に隙間を形成する。
【０００９】
上記構造に基づき、該凸リブの厚さは、該ストッパ部から該ギャップを差し引いた厚さに等しく、これにより、該片状体をロックする時に更に該隙間を圧入することができ、固定の効果を達成する。
【００１０】
上記構造に基づき、該滑動部材の該凸リブの両側の表面は、更に滑り止め部を設け、これによりロックをより安定させることができる。
【００１１】
上記構造に基づき、該横梁本体は、多辺形ストリップ体であることができる。
【００１２】
上記構造に基づき、該横梁本体は、矩形ストリップ体であることができる。
【００１３】
上記構造に基づき、該横梁本体の各側面に少なくとも１つの溝を設ける。
【００１４】
上記構造に基づき、該ロック部材は、螺子栓であることができる。
【考案の効果】
【００１５】
本考案のロックに便利な横梁構造は、ソーラーパネルを取り付けることに用い、横梁本体と、滑動部材と、ロック部材と、を含む。
該横梁本体は、ストリップ体を呈し、側面に軸方向に沿って少なくとも１つの溝を設け、ストッパ部及びギャップを設け、該滑動部材は、凸リブ及びロック孔を設け、該溝中に設置され、該溝方向に沿って滑動することができ、且つ該ストッパ部を受けて該溝中に係止される。
該ロック部材は、片状体及び該ロック孔を貫通設置することに用い、該片状体を該横梁本体にロックさせる。
該凸リブの厚さは、ストッパ部の厚さより小さく、該片状体及び該溝の間に隙間を形成させる。
これにより、滑動部材を利用し、ロック時に更に簡便にし、且つ形成した隙間を利用し、ロック時片状体を更に該隙間に圧入させ、更なる固定の効果を達成する。
【図面の簡単な説明】
【００１６】
【図１】本考案の実施例のソーラーパネル固定装置の説明図である。
【図２】本考案の実施例の各部材の分解図である。
【図３】本考案の実施例の片状体が横梁本体にロックされる説明図である。
【図４】本考案の実施例の側面説明図である。
【図５】本考案の実施例の片状体の固定前の説明図である。
【図６】本考案の実施例の片状体が固定後の説明図である。
【考案を実施するための形態】
【００１７】
以下に本考案を更に分かり易くする為、好適実施例を提供し、図面、符号を合わせ、詳細を以下に説明する。
【００１８】
図１を参照し、それは、本考案の実施例のソーラーパネル固定装置９０を結合した説明図であり、そのうち、本考案の実施例のロックに便利な横梁構造改良の横梁本体１０の両側は、支持ソケット９１に結合し、上方に少なくとも２つの挟持部材９２，９３を結合し、該２つの挟持部材９２，９３の間に少なくとも１つのソーラーパネルを挟持することに用いる。
【００１９】
図２〜図４を参照すると分かるように、本考案の実施例は、横梁本体１０、滑動部材２０と、ロック部材３０と、を含む。該横梁本体１０は、ストリップ体を呈し、その側面は、軸方向に沿って少なくとも１つの溝１１を凹設し、該溝１１は、該横梁本体１０の頭尾両端を連通し、該溝１１両側の上端は、それぞれストッパ部１２を凸設し、各ストッパ部１２は、上端の該溝１１加工１１１付近の箇所にギャップ１３を設け、該滑動０は、ブロック状体であり、外側輪郭が該凹溝１１より若干小さく、該溝１１中に設置され、該溝１１の方向に沿って滑動し、且つ該ストッパ部１２を受けて該溝１１中に係止し、該滑動部材２０表面の該２つのストッパ部１２の間に凸リブ２１を設け、該凸リブ２１表面及び該滑動部材２０の底面にロック孔２２を貫通設置し、該ロック部材３０は、片状体４０をロック孔２２と貫通設置することに用い、該片状体４０を該横梁本体１０にロックさせる。そのうち、該凸リブ２１の厚さは、ストッパ部１２の厚さより小さく、該片状体４０を該溝１１との間に隙間Ａを形成する。
【００２０】
上記構造により、本考案の実施例のロックに便利な横梁構造は、該滑動部材２０を利用し、該溝中で円滑に滑動でき、施工過程において、更に便利であり、適当な位置を容易に選択し、ロックを行うことができ、且つロック部材３０及び滑動部材２０の分離により工程の進行を遅延させることがなく、更に、該ギャップ１３及び凸リブ２１の設計を利用し、該片状体４０をロック時に隙間Ａを形成させることができ（図５参照）、固定時、該片状体４０に押圧を受けさせて該隙間Ａに圧入させ（図６参照）、更なる固定の効果を達成する。
【００２１】
また、本考案の実施例において、該凸リブ２１の厚さは、該ストッパ部１２から該ギャップ１１を差し引いた厚さに等しく、ロック時に形成可能な固定幅の隙間Ａは、固定時の該片状体４０の圧入をより完全にし、固定の効果を達成する。該滑動部材２０は、該凸リブ２１両側の表面に滑り止め部２３を更に設け、本考案の実施例においては、鋸歯状構造であり、ロック時、該滑動部材２０及び該ストッパ部１２の嵌合をより安定させることができる。
【００２２】
本考案の実施例において、施工上便利である為、該横梁本体１０は、矩形ストリップ体であり、該ロック部材２０は、螺子栓であり、該横梁本体１０の各側面に溝１１を設け、本考案を限定することに用いるのではなく、本考案の構造に基づき、単一側面に複数の溝１１を設けることができ、且つ該横梁本体１０は、要求に応じて、多辺形のストリップ体に設けることができる。
【００２３】
図５及び図６を参照し、それは、本考案の実施例の横梁本体１０及び片状体４０の固定前後の説明図であり、図５から分かるように、該片状体４０が該ロック部材３０を介し、該横梁本体１０にロックする時、該片状体４０及び該ギャップ１１、該凸リブ２１の間に隙間Ａを形成し、該ロック部材３０を更に堅く回転させる時、図６に示すように、該片状体４０は、金属材質の靱性及び延伸性を利用し、該ロック部材３０の圧迫を受け、該隙間Ａ中に徐々に圧入し、この構造により、更なる固定の効果を達成することができ、外部環境の要因で該ロック部材３０及び該滑動部材２０が緩んだとしても、圧入した片状体４０が全体構造の安定固定性を持続的に維持することができ、ソーラーパネル固定装置９０を更に持久性、耐久性のあるものとし、ソーラーパネルを完全に支持させることができ、緩んで損壊することを回避する。
【００２４】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２５】
１０  横梁本体
１１  溝
１１１  開口
１２  ストッパ部
１３  ギャップ
２０  滑動部材
２１  凸リブ
２２  ロック孔
２３  滑り止め部
３０  ロック部材
４０  片状体
９０  ソーラーパネル固定装置
９１  支持ソケット
９２  挟持部材
９３  挟持部材
Ａ  隙間
【図１】
0003182942.tif 000003
【図２】
0003182942.tif 000004
【図３】
0003182942.tif 000005
【図４】
0003182942.tif 000006
【図５】
0003182942.tif 000007
【図６】
0003182942.tif 000008